(57)【要約】【課題】表示モニタに表示された道路地図を押圧すると、しばらく押圧し続ける必要なく、すぐに道路地図が拡大縮小表示されるナビゲーション装置を提供する。【解決手段】道路地図２０を拡大縮小表示する場合は、詳細広域ボタン２１を押圧して、道路地図の拡大縮小表示処理を有効にする。そして、道路地図２０の拡大表示したい地点２３を押圧する。その結果、地点２３を中心に道路地図は拡大表示される。このとき、道路地図のスクロール処理は無効であるため、道路地図２０を押圧しても道路地図２０はスクロールしない。したがって、押圧操作が道路地図２０を拡大表示するものであることを判断するために、ナビゲーション装置は、しばらくの間、押圧されていることを検出する必要はない。このため、道路地図２０が押圧されるとすぐに道路地図２０は拡大表示される。【選択図】図２
2007147723.tif 000002
【特許請求の範囲】
【請求項１】
表示モニタに表示された地図が押圧されると、前記地図を拡大縮小表示する地図拡大縮小表示手段と、
前記地図が押圧されると、前記地図をスクロールする地図スクロール手段と、
前記地図を拡大縮小表示するかスクロールするかを切換える押圧操作切換手段とを備えることを特徴とする地図表示装置。
【請求項２】
表示画面上に設けた拡大縮小表示操作領域とスクロール操作領域とがそれぞれ操作されたことを検出する検出手段と、
前記拡大縮小表示操作領域が押圧されると、前記地図を拡大縮小表示する地図拡大縮小表示手段と、
前記スクロール操作領域が押圧されると、前記地図をスクロールする地図スクロール手段とを備えることを特徴とする地図表示装置。
【請求項３】
請求項２に記載の地図表示装置において、
前記表示モニタの表示画面は、前記拡大縮小表示操作領域の外側に前記スクロール操作領域を設けることを特徴とする地図表示装置。
【請求項４】
請求項２に記載の地図表示装置において、
前記地図スクロール手段は、前記スクロール操作領域にトラックボールのシンボルを表示し、トラックボールの擬似的な回転操作により地図をスクロールすることを特徴とする地図表示装置。
【請求項５】
請求項４に記載の地図表示装置において、
前記地図スクロール手段は、前記トラックボールの擬似的な回転操作を繰り返すことによって地図のスクロール速度を大きくすることを特徴とする地図表示装置。
【請求項６】
請求項４に記載の地図表示装置において、
前記地図スクロール手段は、前記トラックボールの擬似的な回転操作を止めると、地図のスクロール速度を所定時間維持した後、徐々に小さくし、地図のスクロールを止めることを特徴とする地図表示装置。
【請求項７】
請求項１乃至６のいずれか１項に記載の地図表示装置において、
前記地図拡大縮小表示手段は、押圧された前記地図上の地点を中心として前記地図を拡大縮小表示することを特徴とする地図表示装置。
【請求項８】
請求項７に記載の地図表示装置において、
前記地図拡大縮小表示手段は、前記地図が押圧されている間、押圧された前記地図上の地点を中心として前記地図を拡大表示し続けること、または前記地図を縮小表示し続けることを特徴とする地図表示装置。
【請求項９】
請求項８に記載の地図表示装置において、
前記地図拡大縮小表示手段は、前記地図が押圧されている間、最も縮尺率の大きな地図を表示した後、押圧された前記地図上の地点を中心として前記地図を縮小表示し続けることを特徴とする地図表示装置。
【請求項１０】
請求項９に記載の地図表示装置において、
前記地図拡大縮小表示手段は、前記地図が押圧されている間、最も縮尺率の小さな地図を表示した後、押圧された前記地図上の地点を中心として前記地図を拡大表示し続けることを特徴とする地図表示装置。
【請求項１１】
請求項１に記載の地図表示装置において、
前記地図スクロール手段は、押圧された地図上の地点を前記表示モニタの表示画面の中心に表示されるように前記地図をスクロールすることを特徴とする地図表示装置。
【発明の詳細な説明】
【技術分野】
【０００１】
本発明は、表示モニタに表示された地図を拡大縮小およびスクロールすることができる地図装置に関する。
【背景技術】
【０００２】
タッチパネル付き表示モニタ上に表示されている道路地図上の１点を予め定めた時間以上連続してタッチし続けたとき、タッチされた道路地図上の１点を中心として道路地図を拡大表示する車載情報装置が知られている（特許文献１）。
【特許文献１】特開平９−５０２３５号公報
【発明の開示】
【発明が解決しようとする課題】
【０００３】
特許文献１に記載されている車載情報装置は、表示モニタの表示画面が所定時間押圧され続けてから道路地図を拡大表示するものであるので、表示画面を押圧してもすぐに道路地図は拡大表示されず、操作者は違和感を感じてしまうという問題点がある。
【課題を解決するための手段】
【０００４】
（１）請求項１の発明の地図表示装置は、表示モニタに表示された地図が押圧されると、地図を拡大縮小表示する地図拡大縮小表示手段と、地図が押圧されると、地図をスクロールする地図スクロール手段と、地図を拡大縮小表示するかスクロールするかを切換える押圧操作切換手段とを備えることを特徴とする。
（２）請求項２の発明の地図表示装置は、表示画面上に設けた拡大縮小表示操作領域とスクロール操作領域とがそれぞれ操作されたことを検出する検出手段と、拡大縮小表示操作領域が押圧されると、地図を拡大縮小表示する地図拡大縮小表示手段と、スクロール操作領域が押圧されると、地図をスクロールする地図スクロール手段とを備えることを特徴とする。
（３）請求項３の発明は、請求項２に記載の地図表示装置において、表示モニタの表示画面は、拡大縮小表示操作領域の外側にスクロール操作領域を設けることを特徴とする。
（４）請求項４の発明は、請求項２に記載の地図表示装置において、地図スクロール手段は、スクロール操作領域にトラックボールのシンボルを表示し、トラックボールの擬似的な回転操作により地図をスクロールすることを特徴とする地図表示装置。
（５）請求項５の発明は、請求項４に記載の地図表示装置において、地図スクロール手段は、トラックボールの擬似的な回転操作を繰り返すことによって地図のスクロール速度を大きくすることを特徴とする。
（６）請求項６の発明は、請求項４に記載の地図表示装置において、地図スクロール手段は、トラックボールの擬似的な回転操作を止めると、地図のスクロール速度を所定時間維持した後、徐々に小さくし、地図のスクロールを止めることを特徴とする。
（７）請求項７の発明は、請求項１乃至６のいずれか１項に記載の地図表示装置において、地図拡大縮小表示手段は、押圧された地図上の地点を中心として地図を拡大縮小表示することを特徴とする。
（８）請求項８の発明は、請求項７に記載の地図表示装置において、地図拡大縮小表示手段は、地図が押圧されている間、押圧された地図上の地点を中心として地図を拡大表示し続けること、または地図を縮小表示し続けることを特徴とする。
（９）請求項９の発明は、請求項８に記載の地図表示装置において、地図拡大縮小表示手段は、地図が押圧されている間、最も縮尺率の大きな地図を表示した後、押圧された地図上の地点を中心として地図を縮小表示し続けることを特徴とする。
（１０）請求項１０の発明は、請求項９に記載の地図表示装置において、地図拡大縮小表示手段は、地図が押圧されている間、最も縮尺率の小さな地図を表示した後、押圧された地図上の地点を中心として地図を拡大表示し続けることを特徴とする。
（１１）請求項１１の発明は、請求項１に記載の地図表示装置において、地図スクロール手段は、押圧された地図上の地点を表示モニタの表示画面の中心に表示されるように地図をスクロールすることを特徴とする。
【発明の効果】
【０００５】
本発明によれば、地図表示装置は、押圧操作が地図を拡大縮小するものであることを押圧時にすぐに判断することができる。すなわち、その判断のために所定時間処理を待機して、継続的な押圧か、単発的な押圧かを判定する必要はない。したがって、押圧操作されれば、すぐに地図を拡大表示することができ、表示画面を押圧してもすぐに地図の拡大表示が開始されないという違和感は生じない。
【発明を実施するための最良の形態】
【０００６】
本発明の一実施形態によるナビゲーション装置の構成を図１に示す。図１のナビゲーション装置１は、タッチパネルを押圧することによって、表示された道路地図を拡大縮小表示することができ、また、スクロールすることができる。ナビゲーション装置１は、制御回路１１、ＲＯＭ１２、ＲＡＭ１３、現在地検出装置１４、画像メモリ１５、表示モニタ１６、入力装置１７、タッチパネル１８およびディスクドライブ１１０を有している。
【０００７】
タッチパネル１８は、表示モニタ１６の表面に積層される透明のタッチスイッチであり、表示モニタ１６に表示される画像はタッチパネル１８を通して表示される。タッチパネル１８は、タッチパネル１８上の操作位置に応じた信号をタッチパネルコントロール部１９に送出し、タッチパネルコントロール部１９はタッチパネル１８の押圧位置を算出する。
【０００８】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１１に記憶された地図データに基づいて所定の経路探索処理を行うと、その処理結果が推奨経路として表示モニタ１６に表示される。
【０００９】
現在地検出装置１４は車両の現在地を検出する装置であり、たとえば、車両の進行方向を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどから成る。ナビゲーション装置１は、この現在地検出装置１４により検出された車両の現在地に基づいて、地図の表示範囲や経路探索開始点などを決定するとともに、地図上にその現在地を表示する。
【００１０】
画像メモリ１５は、表示モニタ１６に表示するための画像データを格納する。この画像データは道路地図描画用データや各種の図形データからなり、それらはディスクドライブ１１０によって読み込まれるＤＶＤ−ＲＯＭ１１１に記憶された地図データに基づいて、適宜生成される。ナビゲーション装置１は、このようにして生成された画像データを用いることによって地図表示などを行うことができる。
【００１１】
ディスクドライブ１１０には、表示モニタ１６に表示する地図データが記録されたＤＶＤ−ＲＯＭ１１１が装填される。地図データは、地図表示用データ、経路探索用データなどを含み、表示用および経路探索用データには、道路のリンク情報およびノード情報が含まれている。地図表示用データは、広域から詳細まで複数の縮尺の地図データを有し、操作者の要求にしたがって、表示地図の縮尺を変更することができる。ディスクドライブ１１０は、装填されたＤＶＤ−ＲＯＭ１１１から、表示モニタ１６へ地図を表示するための地図データを読み出す。なお、ＤＶＤ−ＲＯＭ１１１以外の他の記録メディア、たとえばＣＤ−ＲＯＭやハードディスクなどより地図データを読み出してもよい。
【００１２】
表示モニタ１６は、地図データなどの各種情報に基づいて、自車位置付近の道路地図などの各種情報を画面表示として操作者に提供する。入力装置１７は、操作者が各種コマンドを設定するための入力スイッチを有し、リモコンなどによって実現される。操作者は、表示モニタ１６の表示画面の指示に従って入力装置１７を手動で操作することにより、目的地を選択して目的地を設定する。
【００１３】
上述したとおり、タッチパネル１８は表示モニタ１６のモニタ画面上に設けられた透明パネルであり、表示モニタ１６に表示した表示画面はタッチパネル１８を通して表示される。また、表示モニタ１６の表示画面を押圧するとタッチパネル１８が押圧される。タッチパネル１８は入力装置１７と同様に入力機能を有する。表示モニタ１６に表示された地図画面や各種ボタン、表示メニューなどを指で押圧するとタッチパネル１８が押圧され、タッチパネルコントロール部１９によって押圧位置が算出される。そして、算出された押圧位置は制御回路１１に入力され、目的地を設定したり、各種ボタンや表示メニューに対応する機能を実行させたりする。
【００１４】
目的地が受け付けられると、ナビゲーション装置１はＧＰＳセンサ１４ｃにより検出された現在地を出発地として目的地までの経路演算を所定のアルゴリズムに基づいて行う。このようにして求められたルート（以下、推奨経路という）は、表示形態、たとえば表示色などを変えることによって、ほかの道路とは区別して画面表示される。これにより、操作者は地図上の推奨経路を画面上で認識することができる。また、ナビゲーション装置１は、推奨経路に従って車両が走行できるように、操作者に対して画面や音声などによる進行方向指示を行い、車両を経路誘導する。
【００１５】
本発明の実施の形態のナビゲーション装置１では、操作者が道路地図上の１点を押圧することによって、その１点を中心に道路地図を拡大縮小表示するとともに、その１点が表示画面の中央に表示されるように道路地図をスクロールすることができる。以下、本発明の実施形態のナビゲーション装置１における道路地図の拡大縮小表示およびスクロールについて、図２〜５を参照して説明する。
【００１６】
表示モニタ１６に表示された道路地図を拡大縮小表示する操作者の操作について、図２を参照して説明する。図２は、道路地図２０が表示されている表示モニタ１６の表示画面である。表示画面には、道路地図２０とともに詳細広域ボタン２１とスクロールボタン２２とが表示される。操作者は、道路地図２０を拡大縮小表示する場合は、詳細広域ボタン２１を押圧して、道路地図の拡大縮小表示処理を有効にする。そして、道路地図２０の拡大表示したい地点２３を押圧する。
【００１７】
拡大表示したい地点２３を押圧して拡大表示された道路地図について、図３を参照して説明する。道路地図２０を押圧すると、図３に示すように、道路時地図２０を拡大した道路地図３０が表示される。ここで、拡大した道路地図３０の拡大表示したい地点２３の表示画面上の位置は、道路地図２０と変わらない。さらに押圧を続けると、拡大表示したい地点２３の表示画面上の位置を変えずに、さらに道路地図が拡大される。そして、図４に示すように、ＤＶＤ−ＲＯＭ１１１に地図表示用データとして記憶されている最も詳細な道路地図４０が表示される。
【００１８】
最も詳細な道路地図４０が表示された後、さらに押圧を続けると、今度は逆に、拡大表示したい地点２３の表示画面上の位置を変えずに、道路地図は縮小される。そして、押圧し続けると再び図３の道路地図３０が表示され、そして図２の道路地図２０が表示される。さらに、押圧を続けると、ＤＶＤ−ＲＯＭ１１１に地図表示用データとして記憶されている最も広域な道路地図が表示される。
【００１９】
次に、表示モニタ１６に表示された道路地図をスクロールする操作について、図５を参照して説明する。操作者は、道路地図３０をスクロールする場合は、スクロールボタン２２を押圧して、道路地図のスクロール処理を有効にする。そして、表示画面の中心に表示したい地点５１を押圧して離す。その結果、図６に示すように、地点５１が表示画面の中心に表示されるように道路地図３０はスクロールされる。
【００２０】
本発明の実施形態のナビゲーション装置１における道路地図の表示処理について、図７〜９のフローチャートを参照して説明する。図７〜９の処理は、表示モニタ１６に道路地図を表示するとスタートするプログラムにより、制御回路１１において実行される。
【００２１】
ステップＳ７０１では、拡大縮小表示処理が有効か否か判定する。拡大縮小表示処理が無効の状態で詳細広域ボタン２１が押圧されると拡大縮小表示処理は有効となる。また、拡大縮小表示処理が有効の状態で詳細広域ボタン２１が押圧された場合、またはスクロール処理が無効の状態でスクロールボタン２２が押圧された場合、拡大縮小表示処理は無効となる。拡大縮小表示処理が有効の場合はステップＳ７０１が肯定判定され、ステップＳ７０２へ進む。拡大縮小表示処理が無効の場合はステップＳ７０１が否定判定され、ステップＳ７０７へ進む。
【００２２】
ステップＳ７０２では、表示モニタ１６に表示された道路地図が押圧されたかをタッチパネル１８からの信号により判定する。押圧された場合はステップＳ７０２が肯定判定され、ステップＳ７０３へ進む。押圧されていない場合はステップＳ７０２が否定判定され、ステップＳ７０１へ戻る。ステップＳ７０３では、タッチパネルコントロール部１９より表示モニタ１６の表示画面上の押圧位置を検出する。ステップＳ７０４では、表示画面の押圧位置より道路地図上の押圧地点を算出する。
【００２３】
ステップＳ７０５では、ＤＶＤ−ＲＯＭ１１１に記憶されている地図表示用データの中から、１段階詳細な地図データを読み込み、１段階縮尺率の大きな道路地図を、押圧地点を表示画面上の押圧位置に合わせて表示する。ステップＳ７０６では、表示モニタ１６に表示されている道路地図が押圧されているかをタッチパネル１８からの信号により判定する。押圧されている場合はステップＳ７０８へ進む。押圧されていない場合は終了する。
【００２４】
ステップＳ７０７では、スクロール処理が有効であるか否か判定する。スクロール処理が無効の状態でスクロールボタン２２が押圧されるとスクロール処理は有効となる。また、スクロール処理が有効の状態でスクロールボタン２２が押圧されると、または、拡大縮小表示処理が無効の状態で詳細広域ボタン２１が押圧されると、スクロール処理は無効となる。スクロール処理が有効の場合はステップＳ７０７が肯定判定され、図８のステップＳ８０１へ進む。スクロール処理が無効の場合はステップＳ７０７が否定判定され、ステップＳ７０１へ戻る。
【００２５】
ステップＳ７０８では、表示されている道路地図はＤＶＤ−ＲＯＭ１１１に記憶されている地図表示用データの中で最も詳細なものであるか判定する。最も詳細なものである場合はステップＳ７０８が肯定判定され、図９のステップＳ９０１へ進む。さらに詳細なものが存在する場合はステップＳ７０８が否定判定され、ステップＳ７０３へ戻る。
【００２６】
図８のステップＳ８０１では、表示モニタ１６に表示された道路地図が押圧されているかをタッチパネル１８からの信号より判定する。押圧されている場合はステップＳ８０１が肯定判定され、ステップＳ８０２へ進む。押圧されていない場合はステップＳ８０１が否定判定され、ステップＳ７０１へ戻る。ステップＳ８０２では、タッチパネルコントロール部１９より表示モニタ１６の表示画面上の押圧位置を検出する。ステップＳ８０３では、表示画面の押圧位置より道路地図上の押圧地点を算出する。ステップＳ８０４では、押圧地点を表示中央に合わせて道路地図を表示する。すなわち、道路地図はスクロールされる。
【００２７】
図９のステップＳ９０１では、タッチパネルコントロール部１９より表示モニタ１６の表示画面上の押圧位置を検出する。ステップＳ９０２では、表示画面の押圧位置より道路地図上の押圧地点を算出する。ステップＳ９０３では、ＤＶＤ−ＲＯＭ１１１に記憶されている地図表示用データの中から、１段階広域な地図データを読み込み、１段階縮尺率の小さな道路地図を、押圧地点を表示画面上の押圧位置に合わせて表示する。ステップＳ９０４では、表示モニタ１６に表示されている道路地図が押圧されているか判定する。押圧されている場合はステップＳ９０５へ進む。押圧されていない場合は終了する。
【００２８】
ステップＳ９０５では、表示されている道路地図はＤＶＤ−ＲＯＭ１１１に記憶されている地図表示用データの中で最も広域なものであるか判定する。最も広域なものである場合はステップＳ９０５が肯定判定され、終了する。さらに広域なものが存在する場合はステップＳ９０５が否定判定され、ステップＳ９０１へ戻る。
【００２９】
以上の実施の形態によるナビゲーション装置１は次のような作用効果を奏する。
（１）詳細広域ボタン２１またはスクロールボタン２２を押圧することにより、詳細広域表示処理の有効無効、スクロール処理の有効無効を切換えることができる。このため、ナビゲーション装置１は、押圧操作が道路地図を拡大縮小するものであることを押圧時にすぐに判断することができる。すなわち、その判断のために所定時間処理を待機して、継続的な押圧か、単発的な押圧かを判定する必要はない。したがって、押圧操作されれば、すぐに道路地図を拡大表示することができ、表示画面を押圧してもすぐに道路地図の拡大表示が開始されないという違和感は生じない。
【００３０】
（２）押圧した地点を中心に道路地図を拡大表示するので、道路地図が拡大表示されても押圧した地点が表示画面から外れることはない。
【００３１】
（３）押圧し続けると、道路地図は拡大された後、縮小されるので、再び押圧開始のときの縮尺率の道路地図を表示することができ、操作者の利便性は向上する。
【００３２】
（４）道路地図上の１点を押圧するという一つの押圧操作で、道路地図の拡大縮小表示と道路地図のスクロールとを行うことができるので、操作者の利便性は向上する。
【００３３】
以上の実施の形態のナビゲーション装置１を次のように変形することができる。
（１）表示モニタ１６の表示画面を押圧し続けると、表示モニタ１６に表示された道路地図は拡大表示された後、縮小表示されるが、押圧されている間は、この拡大表示と縮小表示とが繰り返されるようにしてもよい。このようにすることによって、拡大表示された地点が広域地図上のどの地点であるか把握することができる。
【００３４】
（２）詳細広域ボタン２１とスクロールボタン２２とによって押圧操作が道路地図を拡大縮小表示するものか、道路地図をスクロールするものか切換えられるようにしたが、表示画面上に、押圧操作すると道路地図が拡大縮小表示される拡大縮小操作領域と、道路地図がスクロールされるスクロール操作領域とを設けるようにしてもよい。
【００３５】
たとえば、図１０に示すように、表示モニタ１６の表示画面のうち、点線で示した領域１０１内を拡大縮小操作領域とし、領域１０１の外側をスクロール操作領域としてもよい。領域１０１内を押圧すると、道路地図２０上の押圧地点を中心に道路地図は拡大縮小表示される。また、領域１０１の外側の領域を押圧すると、領域１０１に対する押圧された位置の方向に道路地図２０はスクロールされる。たとえば、領域１０１の上側の領域を押圧すると道路地図２０は上方にスクロールされる。
【００３６】
この場合も、ナビゲーション装置１は、表示画面上の押圧位置によって押圧操作が道路地図を拡大縮小するものであることを押圧時にすぐに判断することができるため、その判断のために所定時間押圧され続けていることを検出する必要はない。したがって、押圧操作されれば、すぐに道路地図を拡大表示することができ、表示画面を押圧してもすぐに道路地図の拡大表示が開始されないという違和感は生じない。
【００３７】
また、図１１に示すように、表示画面の一部にトラックボール１０３のシンボルを表示したトラックボール表示領域１０２を設け、トラックボール領域１０２内で押圧操作すると、道路地図２０はスクロールし、トラックボール領域１０２以外の領域を押圧操作すると、道路地図２０上の押圧地点を中心に道路地図は拡大縮小表示されるようにしてもよい。操作者は、実物のトラックボールを操作するようにトラックボール１０３をこすること、つまりトラックボール１０３の擬似的な回転操作によって道路地図２０をスクロールすることができる。たとえば、図１２に示すように、トラックボール１０３を矢印１０４の方向にこすると、道路地図２０は矢印１０４の方向にスクロールされる。また、実際のトラックボールと同じように、擬似的な回転操作を繰り返すことによって道路地図２０のスクロール速度を大きくすることができる。そして、擬似的な回転操作を止めると、すぐに道路地図２０のスクロールは止まるのではなく、道路地図２０のスクロール速度は所定時間維持され、その後、徐々に小さくなり、道路地図２０のスクロールは止まる。
【００３８】
この場合も、ナビゲーション装置１は、表示画面上の押圧位置によって押圧操作が道路地図を拡大縮小するものであることを押圧時にすぐに判断することができるため、その判断のために所定時間押圧され続けていることを検出する必要はない。したがって、押圧操作されれば、すぐに道路地図を拡大表示することができ、表示画面を押圧してもすぐに道路地図の拡大表示が開始されないという違和感は生じない。また、実物のトラックボールを操作するのと同様な操作で道路地図２０をスクロールすることができるので、違和感なく道路地図のスクロール操作をすることができる。
【００３９】
（３）地図表示装置であれば、ナビゲーション装置に限定されない。たとえば、地図表示することのできる携帯端末機やＰＤＡ（Personal Digital Assistance）などでもよい。
【００４０】
本発明によるナビゲーション装置は上記実施の形態や変形例に何ら限定されない。
【００４１】
特許請求の範囲の要素と実施の形態との対応関係を説明する。
本発明の地図拡大縮小表示手段は、制御回路１１、表示モニタ１６およびタッチパネル１８に対応し、地図スクロール手段は制御回路１１、表示モニタ１６およびタッチパネル１８に対応する。押圧操作切換手段および検出手段は制御回路１１およびタッチパネル１８に対応する。なお、以上の説明はあくまで一例であり、発明を解釈する上で、上記の実施形態の構成要素と本発明の構成要素との対応関係になんら限定されるものではない。
【図面の簡単な説明】
【００４２】
【図１】本発明の実施形態のナビゲーション装置の構成を示すブロック図である。
【図２】表示モニタに表示された道路地図を拡大表示するための操作を説明するための図である。
【図３】表示モニタに拡大表示された道路地図を説明するための図である。
【図４】地図表示用データとして記憶されている道路地図の中で最も詳細な道路地図を表示する操作を説明するための図である。
【図５】表示モニタに表示された道路地図をスクロールするための操作を説明するための図である。
【図６】スクロールした後の道路地図を説明するための図である。
【図７】道路地図の拡大表示処理を説明するためのフローチャートである。
【図８】道路地図のスクロール処理を説明するためのフローチャートである。
【図９】道路地図の縮小表示処理を説明するためのフローチャートである。
【図１０】他の実施形態におけるナビゲーション装置の道路地図の拡大縮小表示操作およびスクロール操作を説明するための図である。
【図１１】他の実施形態におけるナビゲーション装置の道路地図の拡大縮小表示操作およびスクロール操作を説明するための図である。
【図１２】表示モニタに表示されたトラックボールの操作を説明するための図である。
【符号の説明】
【００４３】
１  ナビゲーション装置
１１  制御回路
１２  ＲＯＭ
１３  ＲＡＭ
１４  現在地検出装置
１５  画像メモリ
１６  表示モニタ
１７  入力装置
１８  タッチパネル
１９  タッチパネルコントロール部
２０，３０，４０  道路地図
２１  詳細広域ボタン
２２  スクロールボタン
２３  拡大表示したい地点
５１  表示画面の中心に表示したい地点
１０３  トラックボール
１１０  ディスクドライブ
１１１  ＤＶＤ−ＲＯＭ
【図１】
2007147723.tif 000003
【図２】
2007147723.tif 000004
【図３】
2007147723.tif 000005
【図４】
2007147723.tif 000006
【図５】
2007147723.tif 000007
【図６】
2007147723.tif 000008
【図７】
2007147723.tif 000009
【図８】
2007147723.tif 000010
【図９】
2007147723.tif 000011
【図１０】
2007147723.tif 000012
【図１１】
2007147723.tif 000013
【図１２】
2007147723.tif 000014